(57)【要約】【課題】スラット間に配線されたリード線の断線等のトラブルを回避でき、ブラインドとしての違和感がなく、美観に優れ、簡易な構成で、手間やコストを抑えて製造できる太陽電池ブラインドを提供する。【解決手段】ハンガーレール１１と、ハンガーレール１１に滑動可能に装着された複数のランナー１２と、ランナーの夫々に回動可能に釣支されたスラット１４と、スラット１４の表面又は／及び裏面に装着されたシート状の太陽電池パネル２１と、隣り合うスラット１４の下部に懸架されたボトムコード１５とを備え、ボトムコード１５は、可撓性を有する絶縁被覆導線からなり、太陽電池パネル２１の夫々を電気的に直列に連結するように設けられている。【選択図】図１
2011157729.tif 000002
【特許請求の範囲】
【請求項１】
ハンガーレールと、
前記ハンガーレールに滑動可能に装着された複数のランナーと、
前記ランナーの夫々に回動可能に釣支されたスラットと、
前記スラットの表面又は／及び裏面に装着されたシート状の太陽電池パネルと、
隣り合う前記スラットの下部に懸架されたボトムコードとを備え、
前記ボトムコードは、可撓性を有する絶縁被覆導線からなり、前記太陽電池パネルの夫々を電気的に直列に連結するように設けられていることを特徴とする太陽電池縦型ブラインド。
【発明の詳細な説明】
【技術分野】
【０００１】
本発明は、採光・遮光機能と太陽光発電機能とを兼ね備えた太陽電池縦型ブラインドに関する。
【背景技術】
【０００２】
採光・遮光を目的とするブラインドは、通常、スラットが設けられる方向に応じて横型ブラインドと縦型ブラインドとに分類される。採光・遮光機能と太陽光発電機能とを兼ね備えた太陽電池ブラインドとしては、従来、太陽電池パネルを備えた横型ブラインドが知られている（例えば、特許文献１を参照。）。
【０００３】
横型ブラインドは、下端に配したボトムレールと組合せて上下平行に配列した複数枚の長尺なスラットを角度調節用のラダーコード，昇降コードに連繋してヘッドボックス（スラットの昇降，角度調節のドライブ機構を内蔵している）に吊り下げた構成で、ブラインドの利用者は太陽の高さ，及び室内への採光を勘案してスラットの角度を調節するようにしている。
【先行技術文献】
【特許文献】
【０００４】
【特許文献１】特許第３８７９９１７号公報
【発明の概要】
【発明が解決しようとする課題】
【０００５】
しかしながら、従来の太陽電池横型ブラインドは、ラダーコードや昇降コードに絶縁被覆導線を用いることで、スラットの角度調節や昇降と、ブラインドの各スラットに布設した太陽電池モジュールの出力を外部に取り出すリード線としての機能とを兼用させており、美観には配慮がされているものの、角度調節や昇降の操作により絶縁被覆導線に力学的に大きな負荷がかかり、絶縁被覆導線が断線したり接続端子から外れたりする虞があった。
【０００６】
一方、絶縁被覆導線のトラブルを回避するために、ラダーコードや昇降コードとの兼用ではなく、緩衝機能を持たせた絶縁被覆導線を各スラットに別途配線することも可能であるが、配線を別途設けることは、構成が複雑となり、製造するのに手間やコストがかるとともに、ブラインドとしての違和感や美観を損ねるという問題があった。
【０００７】
そこで、本発明が解決しようとする課題は、スラット間に配線されたリード線の断線等のトラブルを回避でき、ブラインドとしての違和感がなく、美観に優れ、簡易な構成で、手間やコストを抑えて製造できる太陽電池ブラインドを提供することである。
【課題を解決するための手段】
【０００８】
この発明は、前記課題を解決するためになされたもので、請求項１に記載の太陽電池縦型ブラインドは、ハンガーレールと、前記ハンガーレールに滑動可能に装着された複数のランナーと、前記ランナーの夫々に回動可能に釣支されたスラットと、前記スラットの表面又は／及び裏面に装着されたシート状の太陽電池パネルと、隣り合う前記スラットの下部に懸架されたボトムコードとを備え、前記ボトムコードは、可撓性を有する絶縁被覆導線からなり、前記太陽電池パネルの夫々を電気的に直列に連結するように設けられていることを特徴としている。
【０００９】
請求項１に記載の発明によれば、前記太陽電池パネルの夫々を電気的に直列に連結するように、可撓性を有する絶縁被覆導線を懸架し、この絶縁被覆導線をボトムコードと兼用としたことにより、絶縁被覆導線に力学的に負荷がかかりにくく、絶縁被覆導線が断線したり接続端子から外れたりしにくい。すなわち、このボトムコードは、一般には、スラットの絡まりを防止するために取り付けられているが、スラット間に緩く懸架されており、採光・遮光のためのスラットの角度調節は、専らハンガーレールやランナーの機構が作用して実現するため、スラット間に配線されたリード線の断線等のトラブルを回避できる。
【００１０】
また、請求項１に記載の発明によれば、前記太陽電池パネルの夫々を電気的に直列に連結する絶縁被覆導線をボトムコードと兼用としたことにより、従来からある縦型ブラインドのデザインと変わらないため、違和感がなく、美観にも優れている。
【００１１】
さらに、請求項１に記載の発明によれば、前記太陽電池パネルの夫々を電気的に直列に連結する絶縁被覆導線をボトムコードと兼用としたことにより、配線を別途設ける必要がないため、太陽電池縦型ブラインドは、簡易な構成となり、従来の縦型ブラインドの製造工程を僅かに改変すれば製造できるので手間やコストを抑えることができる。
【発明の効果】
【００１２】
本発明によれば、スラット間に配線されたリード線の断線等のトラブルを回避でき、ブラインドとしての違和感がなく、美観に優れ、簡易な構成で、手間やコストを抑えて製造できる太陽電池縦型ブラインドを提供することができる。
【図面の簡単な説明】
【００１３】
【図１】本発明に係る太陽電池縦型ブラインドの一実施形態を模式的に示す斜視図である。
【図２】太陽電池パネルの一実施形態を模式的に示す断面図である。
【発明を実施するための形態】
【００１４】
以下、本発明を適用した具体的な実施の形態について、図面を参照しながら詳細に説明する。本発明は、例えば図１に示すような構成の太陽電池縦型ブラインド１に適用される。
【００１５】
この太陽電池縦型ブラインド１は、図１に示すように、窓枠等に固定されるハンガーレール１１を備え、ハンガーレール１１には、ハンガーレール１１内を長手方向に滑動可能に複数のランナー１２が装着されている。ランナー１２の夫々には、フック１３を介してスラット１４が回動可能に釣支されている。
【００１６】
ハンガーレール１１から垂下される操作部１６の操作に基づき、ハンガーレール１１に配設されるランナー滑動機構（図示省略）によってランナー１２がハンガーレール１１内を滑動することができ、同様にハンガーレール１１から垂下される操作部１７の操作に基づき、ハンガーレール１１に配設されるスラット回動機構によってスラット１４が回動可能となっている。
【００１７】
スラット１４の表面又は／及び裏面に太陽電池パネル２１が装着されている。装着は、通常、基板３４を接着することにより行われる。太陽電池パネル２１は、電気を出力するための正極端子３５ａ及び負極端子３５ｂを下部に備え、出力コード線を兼ねるボトムコード１５が、正極端子３５ａ及び負極端子３５ｂから引き出されている。
【００１８】
隣り合うスラット１４の太陽電池パネル２１同士は、電気的に直列繋ぎとなるように、正極端子３５ａと負極端子３５ｂとがボトムコード１５を介して接続されている。このボトムコード１５は、可撓性を有する絶縁被覆導線からなり、通常のボトムコードと同様に、隣り合う前記スラットの下部に２本が平行して懸架されている。
【００１９】
すなわち、ボトムコード１５の２本がクロスせずに平行して懸架され、しかも直列繋ぎになるためには、隣り合うスラット１４の太陽電池パネル２１同士は、正極端子３５ａ及び負極端子３５ｂの位置関係が交互に入れ替わることになる。そして、ボトムコード１５は、各太陽電池パネル２１の正極端子３５ａ及び負極端子３５ｂに強固に接続されることにより、スラット１４の絡まりを防止し、各スラット１４を一体化させる機能を併せ持つことになる。
【００２０】
開き方向の最端に位置するスラット１４の太陽電池パネル２１の正極端子３５ａ及び負極端子３５ｂから引き出されたボトムコード１５は分散電源（図示省略）に接続されるようになっている。
【００２１】
太陽電池パネル２１は、図２に示すように、少なくとも太陽電池素子２７を備えて構成される。この太陽電池素子２７は、通常、耐候性保護フィルム２２と、紫外線カットフィルム２３と、ガスバリアフィルム２４と、ゲッター材フィルム２５と、封止材２６と、太陽電池素子２７と、封止材２８と、ゲッター材フィルム２９と、ガスバリアフィルム３０と、バックシート３１とをこの順に備え、更に、耐候性保護フィルム２２からバックシート３１にかけての縁部をシールするシール材３２を備えた薄膜太陽電池３３として構成される。そして、通常は、基板３４に薄膜太陽電池３３が設けられて太陽電池パネル２１が構成される。なお、太陽電池パネル２１には独立した基板を設けず、耐候性保護フィルム２２等のフィルム材のうち何れかを基板として兼用してもよい。
【００２２】
以上説明したように、本発明に係る太陽電池縦型ブラインド１によれば、力学的な負荷が少ないボトムコード１５に、電気的な配線の機能と、スラット１４の絡まりを防止し、各スラット１４を一体化させる機能とを併せ持たせたことにより、ボトムコード１５が断線したり接続端子から外れたりすることによる電気的なトラブルを回避することができる。
【００２３】
また、本発明に係る太陽電池縦型ブラインド１によれば、太陽電池パネル２１の夫々を電気的に直列に連結する絶縁被覆導線をボトムコードと兼用としたことにより、従来からある縦型ブラインドのデザインと変わらないため、違和感がなく、美観にも優れている。加えて、配線を別途設ける必要がないため、簡易な構成となり、従来の縦型ブラインドの製造工程を僅かに改変すれば製造できるので手間やコストを抑えることができる。
【００２４】
さらに、本発明に係る太陽電池縦型ブラインド１によれば、スラット１４の両面に太陽電池パネル２１を装着した場合には、裏面で発電することが可能となり、太陽の向きによらず何れかの面が太陽光を受けることになるので、ユーザは太陽の動きをそれ程考慮しなくても済む。加えて、室内の灯りから発電することも可能となるので、夜間であっても、発電することができ、室内の灯りの有効利用を図ることができる。
【００２５】
なお、本発明は前述した実施の形態のみに限定されるものではなく、本発明の要旨を逸脱しない範囲において種々の変更が可能であることは勿論である。
【符号の説明】
【００２６】
１      太陽電池縦型ブラインド
１１    ハンガーレール
１２    ランナー
１３    フック
１４    スラット
１５    ボトムコード
１６    操作部
１７    操作部
２１    太陽電池パネル
２２    耐候性保護フィルム
２３    紫外線カットフィルム
２４    ガスバリアフィルム
２５    ゲッター材フィルム
２６    封止材
２７    太陽電池素子
２８    封止材
２９    ゲッター材フィルム
３０    ガスバリアフィルム
３１    バックシート
３２    シール材
３３    薄膜太陽電池
３４    基板
３５ａ  正極端子
３５ｂ  負極端子
【図１】
2011157729.tif 000003
【図２】
2011157729.tif 000004